(57)【要約】【課題】  粉末を溶解して得られる飲料などを最小限のシェイク動作で残らず注出できるようにした蓋体付き容器を提供する。【解決手段】  上面開口の容器体２の周壁６上部へ、蓋体30頂壁34の外周から垂下した筒壁を嵌合させた蓋体付き容器において、上記蓋体30の頂壁34の一部に口蓋付きの注出口40を形成するとともに、容器体の周壁６に、その容器内部を上下に２分する隔壁16を取り付け、この隔壁16に少なくとも一つの通液孔18を開口した。【選択図】  図１
2006182426.tif 000002
【特許請求の範囲】
【請求項１】
上面開口の容器体の周壁上部へ、蓋体頂壁の外周から垂下した蓋周壁を嵌合させた蓋体付き容器において、上記蓋体の頂壁34の一部に口蓋付きの注出口40を形成するとともに、容器体の周壁６に、その容器内部を上下に２分する隔壁16を取り付け、この隔壁16に少なくとも一つの通液孔18を開口したことを特徴とする、蓋体付き容器。
【請求項２】
上記隔壁16は、容器体周壁６上面部と蓋体頂壁34裏面との間に挟持させた鍔部12から下方へ陥没させて連続形成したことを特徴とする、請求項１記載の蓋体付き容器。
【請求項３】
上記隔壁16全体に複数の通液孔18を分散させて配置したことを特徴とする、請求項１又は請求項２記載の蓋体付き容器。
【請求項４】
上記隔壁16は、外周側から下内方又は上内方へテーパ状に窄まる傾斜壁部16ａと、該壁部と連続する底壁部16ｂとで形成したことを特徴とする、請求項３記載の蓋体付き容器。
【請求項５】
上記傾斜壁部に穿設した通液孔18を半径方向への長孔としたことを特徴とする、請求項４記載の蓋体付き容器。
【発明の詳細な説明】
【技術分野】
【０００１】
本発明は、蓋体付き容器、特にスポーツドリンクや健康飲料の収納に適した蓋体付き容器に関する。
【背景技術】
【０００２】
この種容器として、容器体の口頸部に嵌合したキャップの頂壁に、使用時に開口可能なストロー挿通孔を貫設したものが提案されている（特許文献１）。
【０００３】
又、緑茶やコーヒーなどの収容ボトルの肩部内面に流体抵抗増大用の凹凸部を付設したものが提供されている（特許文献２）。
【特許文献１】特開２０００−２４７３５３号
【特許文献２】特開２００４−２９９７６９号
【発明の開示】
【発明が解決しようとする課題】
【０００４】
近年、スポーツドリンクやお茶の原料となる粉末が市販されている。そしてこれを利用者がボトル内で水に溶いて携帯し、例えばスポーツをした後に飲むということが行われている。しかし粉末を溶解してから時間を経過すると、その溶解成分の一部がボトル内で沈殿してしまうことがあり、そのまま飲むと、最初のうちは飲料の濃度が薄く後になるほど濃くなったり、或いは沈殿部分がボトルの底部にこびりついて飲めずに無駄となるおそれがある。これを避けるためにはボトルを振って飲料を攪拌する必要があるが、水に入れた粉末の量が多かったときなどには、シェイク動作を何度も繰り返さなければならず、面倒である。
【０００５】
こうした問題点に対して、特許文献１の容器は飲料を攪拌する手段を有さず、又特許文献２の容器の凹凸部は、飲料を飲むときに茶成分と水とを混合する作用を有するが、沈殿物を分解するような攪拌機能を奏しない。
【０００６】
本発明は、粉末を溶解して得られる飲料などを最小限のシェイク動作で残らず注出できるようにするため、上面開口の容器体の周壁上部へ、蓋体頂壁の外周から垂下した蓋周壁を嵌合させた蓋体付き容器において、上記蓋体の頂壁の一部に口蓋付きの注出口を形成するとともに、容器体の周壁に、その容器体の内部を上下に２分する隔壁を取り付け、この隔壁に少なくとも一つの通液孔を開口したものを提供することを目的とする。
【課題を解決するための手段】
【０００７】
第１の手段は、上面開口の容器体の周壁上部へ、蓋体頂壁の外周から垂下した蓋周壁を嵌合させた蓋体付き容器において、上記蓋体の頂壁34の一部に口蓋付きの注出口40を形成するとともに、容器体の周壁６に、その容器内部を上下に２分する隔壁16を取り付け、この隔壁16に少なくとも一つの通液孔18を開口している。
【０００８】
「隔壁」は、通液孔を設けることで、シェイク動作により容器内部を上下動する飲料の邪魔板として飲料を攪拌する機能を有する。本発明の容器は、上記隔壁とこの隔壁を容器体周壁へ取り付けるための取付部とで形成する隔壁部材を有している。その取り付けの方法はいろいろと考えられ、例えば容器体周壁の上面に係止させた鍔部から下方へ碗状の隔壁を突設しても良く、又、上記容器体周壁の内面に嵌合させた取付筒に、水平板状の隔壁の外周部を連結させても良い。
【０００９】
「通液孔」は、通過する液体に対して適当な流体抵抗を有するように孔面積に対して孔縁の長さを大きく設ける。そのためには、隔壁に複数の（好ましくは多数の）通液孔を穿設することが望ましい。又、通液孔は長円形に形成することができる。この長円の長径方向は容器の半径方向として良いが、容器体の周方向に配向することもできる。又、単一の通液孔を設けるときには、孔内面に、隔壁の法線方向から見て孔の内外方向へ出入する凹凸部（或いは襞状部）を連続形成した非円形孔とすることができる。
【００１０】
尚、本発明の容器は、ドリンク容器に限られず、注出前に振って内容物を攪拌させる必要のある容器であればどのようなものでも良い。
【００１１】
第２の手段は、第１の手段を有し、かつ上記隔壁16は、容器体周壁６上面部と蓋体頂壁34裏面との間に挟持させた鍔部12から下方へ陥没させて連続形成している。
【００１２】
「鍔部」は、隔壁の係止手段であるとともに、指掛け部を兼ねており、例えば容器内部を洗浄するときに、蓋体を外し、指掛け部に指を掛けて隔壁を引き出すことができるように設けると良い。
【００１３】
第３の手段は、上記第１の手段又は第２の手段を有し、かつ上記隔壁16全体に複数の通液孔18を分散させて配置している。
【００１４】
これら通液孔は隔壁全体に均等に分散した小孔として、容器を逆さまにしたときに隔壁裏面側に付着した飲料が出来るだけ注出口側へ流下するように設ける。上記通液孔は、散点状に規則正しく或いは不規則に配置することができる。更に各通液孔を区分する隔壁部分を、上方から見て縦横に交差する格子状、ハニカム状などの各種網の目状に形成することもできる。
【００１５】
第４の手段は、上記第３の手段を有し、かつ上記隔壁16は、外周側から下内方又は上内方へテーパ状に窄まる傾斜壁部16ａと、該壁部と連続する底壁部16ｂとで形成している。
【００１６】
「傾斜壁部」は、該壁部へ衝突した流体がその斜面に導かれて容器体周壁の対応内面部分と再衝突することで、乱流を発生させ、攪拌効果を高めるように設けられている。外周部から下内方へ窄まる傾斜壁部（図５参照）は、容器を反転させたときに容器体底部側の液体部分と衝突して乱流発生に寄与し、又、外周部から上内方へ窄まる傾斜壁部（図９参照）は、容器を正立状態に戻したときに容器体頭部側の液体部分と衝突して乱流発生に寄与する。
【００１７】
尚、これら傾斜壁部と底壁部とには、鉛直方向に配向させた縦孔状の通液孔を設けると良い。この構成にすることにより、傾斜壁部の通液孔を液体が通過し易くなり、攪拌効率が向上するとともに、隔壁部材を成形するときに型抜きが容易となる。
【００１８】
第５の手段は、第４の手段を有し、かつ上記傾斜壁部に穿設した通液孔18を半径方向への長孔としている。
【発明の効果】
【００１９】
第１の手段に係る発明によれば、容器体内部を２分する隔壁16に少なくとも一つの通液孔18を穿設したから、通常のドリンク容器では、一度のシェイク動作において内容液が容器の底部と肩部とに２度衝突するところを、上記隔壁の表裏両面に更に２度衝突することとなり、攪拌作用が高まる。
【００２０】
第２の手段に係る発明によれば、容器体周壁６上面と蓋体頂壁34裏面との間に挟持させた鍔部12から下方へ隔壁16を陥没させたから、蓋体30を除去した後にその鍔部12に指を掛けて引き上げることで隔壁16を取り除くことができ、容器の洗浄や飲料用粉末の充填が容易である。
【００２１】
第３の手段に係る発明によれば、上記隔壁16全体に複数の通液孔18を分散させて配置したから、液体全体を効率良く攪拌することができる。
【００２２】
第４の手段に係る発明によれば、上記隔壁16は、外周側から下内方又は上内方へテーパ状に窄まる傾斜壁部16ａを有するから、この傾斜壁部に衝突した液体が容器体周壁の対応内壁面部分に再衝突することで更に飲料の攪拌作用が高まる。
【００２３】
第５の手段は、上記傾斜壁部に穿設した通液孔18を半径方向への長孔としたから、この長孔を通過する水流が一旦縮流したのちに急拡大することで乱流度が高まり、攪拌効果が向上する。
【発明を実施するための最良の形態】
【００２４】
図１乃至図４は、本発明の第１実施形態の蓋体付き容器である。
【００２５】
この容器は、容器体２と、隔壁部材10と、蓋体30とで形成される。
【００２６】
容器体２は、有底筒状であって、底壁４周縁から広口の周壁６を起立している。この周壁６には、図２に示す如く、容器体内へ入れるべき水の所要量に対応する高さを示す目印８を付設することが望ましい。同様に、粉末の所要量に対応する目印を付設してもよい。これらの目盛りを周壁外部に付設するときには、容器周壁を透明乃至半透明とし、水の水位などを外部から透視できるようにすると良い。もちろん周壁内面に目盛りを設けて上方から目視するように設けても良く、又、この目印を周壁内面の所要高さに形成した段差などとすることもできる。
【００２７】
隔壁部材10は、鍔部12内縁から垂下した取付筒14の下端を水平な隔壁16の外周部に連結させたカップ形状に形成している。又、この隔壁16の全体は、図３に示すより、多数のほぼ同径の通液孔18を分散して配置している。上記隔壁16は、容器体２の周壁６上部内に設置され、蓋体の注出口に比較的近い場所で液体を攪拌し、粉末成分が水に溶け込んだ状態で吸飲できるように設けている。もっとも、図示例と異なり、上記取付筒14を容器体底壁４付近へ垂下させて、該底壁付近で乱流を発生させ、乱流による攪拌効果で底壁４に付着した沈殿成分を巻き上げ、溶媒である水と混ざり合うようにしても良い。又、図示の隔壁部材10とは異なり、その鍔部を省略して、逆カップ状に反転させ、その取付筒を例えば容器体周壁の下部内面へ嵌合させることもできる。更に又、これらカップ状の隔壁部材及び逆カップ状の隔壁部材とを、容器体の上部及び下部にそれぞれ設けても良い。
【００２８】
蓋体30は、頂壁34の外縁部から蓋周壁32を垂下している。この蓋周壁32は上記容器体周壁６の上部外面へ液密に螺合させることで、蓋体頂壁34の外周部36下面と容器体周壁６の上端面との間に隔壁部材10の鍔部12を液密に挟持させている。外周部36を除く頂壁部分は、上方へドーム状に隆起させた隆起壁部38とし、この隆起壁部の前部を窪ませてこの窪み部から、上端に注出口40を開口する注出筒42を起立している。この注出筒後方の隆起壁部分上面には浅溝44を横断させ、この浅溝前部に枢着させて、回動腕の前端に半球状の蓋部を付設した小蓋46を回動可能に前方突出している。該小蓋は上記注出口40を液密に閉塞している。尚、この蓋体の形状は適宜変更することができる。
【００２９】
上記構成において、容器を上下に振ると、容器体２内に収納した飲料は、隔壁16の通液孔18を通って上下動するが、このとき該飲料は、まず隔壁16の表裏両面に衝突し、更に縮流して通液孔18内へ入った後に急拡大することで乱流化し、飲料の粉末成分と溶媒である水成分とが適宜攪拌される。しかる後に小蓋46を外して、注出口40から飲料を吸飲すると、両成分が適当に混じり合った飲料を飲むことができる。
【００３０】
尚、図４は、本実施形態の変形例であり、単一の通液孔18の孔縁に凹部20と凸部22とを繰返し形成して、孔面積に対する孔縁の長さの割合を大としたものである。容器を振るときにはこの孔縁から乱流が発生するため、その割合が大きければ効率的に飲料を攪拌することができる。
【００３１】
以下、本発明の他の実施形態を説明する。この説明において、第１の実施形態と同じ構成については、同一の符号を付することで説明を省略する。
【００３２】
図５から図８は、本発明の第２実施形態を示している。この実施形態では、隔壁部材10は、鍔部12から深皿状に隔壁16を陥没させてなり、この隔壁16は、鍔部12内縁から下内方へテーパ状に縮径する傾斜壁部16ａと、この傾斜壁部内縁に連続させた略水平な底壁部16ｂとで形成している。又、これら両壁部には、それぞれ複数の通液孔18を形成しており、これら通液孔はそれぞれ鉛直方向に配向した縦孔としている。特に傾斜壁部16ａに穿設した通液孔18は、図５に示す如くその孔内面を鉛直方向への垂直面となるように、換言すれば孔軸に対して傾斜壁部の表裏両面が斜行するようにしており、これにより容器を上下に振るときに通液孔内を液体が比較的スムーズに通過するように設けている。又、傾斜壁部16ａに穿設した通液孔18は、半径方向へ伸びる長円として、周方向に等間隔を存して放射状に配置させている。又、それら長円の内端部は底壁部16ｂ側へ食い込んでいる。
【００３３】
この実施形態では、容器を上下に反転させると、容器体底部側の液体の一部が図８に示す如く傾斜壁部16ａに衝突した後、図８に矢示する如くその斜面に沿って容器体周壁６の対応面部分に衝突した後、反転して通液孔18内へ流入することになる。この通液孔を通過した飲料は乱流度が大きくなる。これにより内容液に対する攪拌作用が大となる。
【００３４】
図９は、本発明の第３実施形態を示している。本実施形態では、隔壁部材10は、鍔部12内縁から垂下した取付筒14の下端から、逆皿状（好ましくはドーム状）の隔壁16を突出したものであり、この隔壁の外周部分は、上内方へ縮径する傾斜壁部16ａに形成している。この実施形態では容器を反転状態から正立状態へ戻したときに、容器頭部側の液体部分が上記傾斜壁部16ａの上面に衝突した後に容器体周壁の対応面部分に再衝突することで第２実施形態と同様に飲料の攪拌効果を増大することになる。又、この実施形態の構成では、図示の如く上記傾斜壁部16ａ外縁部分裏面と隔壁下方の容器体周壁部分とがなす角θが鈍角となるので、攪拌操作後に小蓋46を開き、容器を反転させて飲料を飲むときに、隔壁下方（反転状態では上方）の容器体周壁部分内面に付着した飲料が隔壁16裏面を伝わって通液孔18内へ流下し易く、従って飲料が隔壁裏面に残って無駄となることを防止できる。
【図面の簡単な説明】
【００３５】
【図１】本発明の第1の実施形態に係る容器の縦断面図である。
【図２】図１容器の分解斜視図である。
【図３】図１容器の横断面図である。
【図４】図１容器の変形例の横断面図である。
【図５】本発明の第2の実施形態に係る容器の縦断面図である。
【図６】図５容器の分解斜視図である。
【図７】図５容器の横断面図である。
【図８】図７のＡ−Ａ断面に沿った縦断面で見た図５容器の作用説明図である。
【図９】本発明の第３の実施形態に係る容器の縦断面図である。
【符号の説明】
【００３６】
２…容器体  ４…底壁  ６…周壁  ８…目印  10…隔壁部材  12…鍔部
14…取付筒  16…隔壁  16ａ…傾斜壁部  16ｂ…底壁部  18…通液孔
20…凹部  22…凸部  30…蓋体  32…蓋周壁  34…頂壁  36…外周部
38…隆起壁部  40…注出口   42…注出筒  44…浅溝  46…小蓋
【図１】
2006182426.tif 000003
【図２】
2006182426.tif 000004
【図３】
2006182426.tif 000005
【図４】
2006182426.tif 000006
【図５】
2006182426.tif 000007
【図６】
2006182426.tif 000008
【図７】
2006182426.tif 000009
【図８】
2006182426.tif 000010
【図９】
2006182426.tif 000011